(57)【特許請求の範囲】
【請求項１】
１端で集束された複数本の光ファイバと、該集束端で光ファイバ端面から形成された光入射面と、該光ファイバの他端が、隣接する他の光ファイバとの位置関係を保持しつつ、パネルの裏面から表面に貫通して固定され、光入射面に投影された映像を出射するファイバスクリーンと、光入射面に映像を投影するプロジェクターと、片面に光散乱面を有し、光散乱面側を光入射面に当接させた透明板とからなることを特徴とする映像装置。
【発明の詳細な説明】
【０００１】
【産業上の利用分野】
この発明は、光ファイバを用いた映像装置に関し、より詳細には、光ファイバ集束端の入射面に投影された映像をファイバスクリーンから出射する映像装置に関する。
【０００２】
【従来の技術】
従来、光ファイバ集束端の入射面に投影された映像をファイバスクリーンから出射する映像装置は、複数本の光ファイバ１端で集束し、この集束端の光ファイバ端面から光入射面を形成し、一方、光ファイバの他端を、隣接する他の光ファイバとの位置関係を保持しつつ、パネルの裏面から表面に貫通し、任意の手段でこれらを固定してファイバスクリーンを得、プロジェクターから光入射面に映像を投影し、光ファイバを介して光入射面に投影された映像を出射するものである。
ファイバスクリーンから出射する光は、指向性が高いので、スクリーンの横左右、若しくは上下が見ると極端に暗くなり、視野角が狭い。これに対して、ファイバスクリーンの表面にレンチキュラーレンズを賦形加工して視野角を広げる技術が提案されている。
【０００３】
【発明が解決しようとする課題】
しかしながら、図３に示すように、プロジェクター５から映像を、光ファイバ１集束端の光入射面２に投影すると、図５に示すように、入射面の中心部分で光ファイバ１に入射する光と、入射面２の周縁部で光ファイバに入射した光とでは、出射パターンが相違し、ファイバスクリーンから見た映像に中心部と周辺部とで不均一性が現れる。また、ファイバスクリーンの表面にレンチキュラーレンズを賦形加工する際に、そのレンズに僅かでも歪みが生じ、出射斑などの光学的に歪みが表れ、映像画面の品位が低下する。
【０００４】
この発明は、上述の背景に基づきなされたものであり、その目的とするところは、中心部と周縁部との映像の不均一性を解消し、出射斑などの光学的に歪みを無くし、品位に優れた映像を映し出す映像装置を提供することである。
【０００５】
【課題を解決するための手段】
上記課題はこの発明より解決される。すなわち、この発明による映像装置は、１端で集束された複数本の光ファイバと、この集束端で光ファイバ端面から形成された光入射面と、光ファイバの他端が、隣接する他の光ファイバとの位置関係を保持しつつ、パネルの裏面から表面に貫通して固定され、光入射面に投影された映像を出射するファイバスクリーンと、光入射面に映像を投影するプロジェクターと、片面に光散乱面を有し、光散乱面側を光入射面に当接させた透明板とからなることを特徴とするものである。
【０００６】
【作用】
上記構成を有するこの発明は、以下のように作用・動作する。
この発明の映像装置では、光ファイバ集束端の入射面に投影された映像をファイバスクリーンから出射する。複数本の光ファイバ１端で集束し、この集束端の光ファイバ端面から光入射面を形成し、一方、光ファイバの他端を、隣接する他の光ファイバとの位置関係を保持しつつ、パネルの裏面から表面に貫通し、任意の手段でこれらを固定してファイバスクリーンを得、プロジェクターから光入射面に映像を投影し、光ファイバを介して光入射面に投影された映像を出射する。
【０００７】
片面散乱透明板は、片面に光散乱面を有し、光散乱面側を光入射面に当接している。従って、プロジェクターから光入射面に映像を投影するに際して、図１に示すように、光散乱面が、光ファイバ入射光のモード分布を分散する。その結果、入射面の中心部分で光ファイバに入射する光と、入射面の周縁部で光ファイバに入射した光とでは、出射パターンが同じになり、ファイバスクリーンから見た映像に中心部と周辺部との全体で均一となる。また、ファイバスクリーンの表面にレンチキュラーレンズを賦形加工する際に、そのレンズに僅かでも歪みが生じていても、出射斑などの光学的に歪みを緩和する。
【０００８】
【実施例】
この発明を以下の実施例により具体的に説明する。
図２に、この発明による一実施例の映像装置の概略斜視図を示す。この態様の映像装置は、１端で矩形に集束された多数本の光ファイバ１と、この集束端で光ファイバ端面から形成された光入射面２と、光ファイバの他端が、隣接する他の光ファイバとの位置関係を保持しつつ、パネル３の裏面から表面に貫通して固定され、光入射面に投影された映像を出射するファイバスクリーン４と、光入射面に映像を投影する液晶プロジェクター５と、片面に光散乱面を有し、光散乱面側を光入射面に当接させた透明板（図示せず）とからなる。
この態様の映像装置では、図４に示すように、パネル３の表面から光ファイバ端部が突き出たからファイバスクリーンの表面に、レンチキュラーレンズ６を賦形加工して視野角を広げている。
この実施例では、片面光散乱透明板として、細かく粗面化した金型にアクリル樹脂を押し出し成形して得られたもの（三菱レイヨン製ファインマット板）を用いた。
【０００９】
この態様の映像装置は、以下のように動作する。
この発明の映像装置では、多数本の光ファイバ１の１端で集束し、この集束端の光ファイバ端面から光入射面２を形成し、一方、光ファイバの他端を、隣接する他の光ファイバとの位置関係を保持しつつ、パネル３を貫通し、任意の手段でこれらを固定してファイバスクリーン４を得、プロジェクター５から、片面散乱透明板７を透過して光入射面２に映像を投影する。片面散乱透明板７が片面に光散乱面８を有し、光散乱面側を光入射面２に当接しているので、光散乱面８が光ファイバ入射光のモード分布を分散する。その結果、入射面の中心部分で光ファイバに入射する光と、入射面の周縁部で光ファイバに入射した光とでは、出射パターンが同じになり、ファイバスクリーンから見た映像に中心部と周辺部との全体で均一となる。また、ファイバスクリーンの表面にレンチキュラーレンズ６を賦形加工する際に、そのレンズに僅かでも歪みが生じていても、出射斑などの光学的に歪みを緩和する。
【００１０】
この発明は上記実施例に限定されず、種々の変形が可能である。例えば、上記アクリル板に代えて、プリズムシート、拡散シート（半透明ＰＥＴフィルム）、ブラスト処理透明アクリル板（鉄微球で片面ブラスト処理したアクリル板）など用いることができる。これらの片面散乱透明板を用いて光出射斑、視野角とを評価した。その結果を、下記表１に示す。
【００１１】
【表１】
0003582733.tif 000002
【００１２】
この表から理解されるように、これらの片面散乱透明板を用いることにより、光出射斑、視野角とが改善されることが分かる。なお、拡散シートを用いた場合、正面輝度が低下した。
【００１３】
【発明の効果】
この発明の映像装置は、中心部と周縁部との映像の不均一性を解消し、出射斑などの光学的に歪みを無くし、品位に優れた映像を映し出すことができる。
【図面の簡単な説明】
【図１】図１は、この発明による片面散乱透明板の作用を説明するための断面図である。
【図２】図２は、この発明による実施例の映像装置の概略斜視図である。
【図３】図３は、プルジェクターから入射面に映像を投影する状態を示す斜視図である。
【図４】図４は、この発明による一実施例の映像装置のファイバスクリーンの断面図である。
【図５】図５は、従来の出射パターンを説明するための断面図である。
【符号の説明】
１    光ファイバ
２    光入射面
３    パネル
４    ファイバスクリーン
５    プロジェクター
６    レンチキュラーレンズ
７    片面散乱透明板
８    散乱面
【図１】
0003582733.tif 000003
【図２】
0003582733.tif 000004
【図３】
0003582733.tif 000005
【図４】
0003582733.tif 000006
【図５】
0003582733.tif 000007